(57)【要約】      （修正有）【課題】無線通信システムの性能と適用性を向上させることができる通信パラメータ調整方法及び装置を提供する。【解決手段】方法は、第１装置が、通信パラメータの初期設定に基づいて、第２装置と通信を確立することと、第１装置が、通信におけるネットワーク状態及び／又はサービス状態に基づいて、記通信パラメータ内の一つ又は複数の通信パラメータの設定を調整することと、第１装置が、第２装置に通信パラメータ調整指示情報を送信することと、を含む。通信パラメータ調整指示情報は、第１装置が通信パラメータ内の一つ又は複数の通信パラメータの設定を調整した調整結果を指示するように用いられる。【選択図】図１
2020145756.tif 000002
【特許請求の範囲】
【請求項１】
通信パラメータ調整方法であって、
第２装置は、サイクリックプリフィクス（ＣＰ）の長さの初期設定に基づいて、第１装置と通信を確立することと、
前記第２装置は、前記第１装置より送信されたＣＰの長さの調整指示情報を受信することと、を含み、
前記ＣＰの長さの調整指示情報は、前記第１装置が通信におけるネットワーク状態及び／又はサービス状態に基づいて、前記ＣＰの長さの設定を調整した調整結果を指示するように用いられ、
前記第１装置はネットワーク装置であり、前記第２装置は端末装置であることを特徴とする前記通信パラメータ調整方法。
【請求項２】
前記第１装置より送信されたＣＰの長さの調整指示情報を受信することは、
前記第１装置が物理層制御チャネルを介して送信された前記ＣＰの長さの調整指示情報を受信することを含むことを特徴とする請求項１に記載の通信パラメータ調整方法。
【請求項３】
前記ネットワーク状態は、
前記第１装置と前記第２装置との間のチャネル環境を含むことを特徴とする請求項１または２に記載の通信パラメータ調整方法。
【請求項４】
前記ＣＰの長さの初期設定はランダムアクセス中において、前記第１装置および前記第２装置により決定された設定であることを特徴とする請求項１〜３のいずれか１項に記載の通信パラメータ調整方法。
【請求項５】
前記方法は、
前記第２装置が、前記第１装置により送信されたランダムアクセス応答メッセージを受信することをさらに含み、
前記ランダムアクセス応答メッセージは、前記ＣＰの長さの初期設定を搬送することを特徴とする、請求項１〜４のいずれか１項に記載の通信パラメータ調整方法。
【請求項６】
通信パラメータ調整方法であって、
第１装置は、サイクリックプリフィクス（ＣＰ）の長さの初期設定に基づいて、第２装置と通信を確立することと、
前記第１装置は、通信におけるネットワーク状態及び／又はサービス状態に基づいて、前記ＣＰの長さの設定を調整することと、
前記第１装置は、前記第２装置にＣＰの長さの調整指示情報を送信することと、
を含み、
前記ＣＰの長さの調整指示情報は、前記第１装置が前記ＣＰの長さの設定を調整した調整結果を指示するように用いられ、
前記第１装置はネットワーク装置であり、前記第２装置は端末装置であることを特徴とする、前記通信パラメータ調整方法。
【請求項７】
前記第２装置にＣＰの長さの調整指示情報を送信することは、
物理層制御チャネルを介して前記第２装置に前記ＣＰの長さの調整指示情報を送信することを含むことを特徴とする請求項６に記載の通信パラメータ調整方法。
【請求項８】
前記ネットワーク状態は、
前記第１装置と前記第２装置との間のチャネル環境を含むことを特徴とする請求項６または７に記載の通信パラメータ調整方法。
【請求項９】
前記ＣＰの長さの初期設定はランダムアクセス中において、前記第１装置および前記第２装置により決定された設定であることを特徴とする請求項６〜８のいずれか１項に記載の通信パラメータ調整方法。
【請求項１０】
前記方法は、
前記第１装置が、前記第２装置にランダムアクセス応答メッセージを送信することをさらに含み、
前記ランダムアクセス応答メッセージは、前記ＣＰの長さの初期設定を搬送することを特徴とする、請求項６〜９のいずれか１項に記載の通信パラメータ調整方法。
【請求項１１】
通信パラメータ調整装置であって、
サイクリックプリフィクス（ＣＰ）の長さの初期設定に基づいて、第１装置と通信を確立するように構成される処理モジュールと、
前記第１装置より送信されたＣＰの長さの調整指示情報を受信するように構成される送受信モジュールと、を含み、
前記ＣＰの長さの調整指示情報は、前記処理モジュールが前記第１装置が通信におけるネットワーク状態及び／又はサービス状態に基づいて、前記ＣＰの長さの設定を調整した調整結果を指示するように用いられ、
前記第１装置はネットワーク装置であり、前記装置は端末装置である、前記通信パラメータ調整装置。
【請求項１２】
前記送受信モジュールは、
具体的に、前記第１装置が物理層制御チャネルを介して送信された前記ＣＰの長さの調整指示情報を受信するように構成されることを特徴とする請求項１１に記載の通信パラメータ調整装置。
【請求項１３】
前記ネットワーク状態は、
前記第１装置と前記装置との間のチャネル環境を含むことを特徴とする請求項１１または１２に記載の通信パラメータ調整装置。
【請求項１４】
前記ＣＰの長さの初期設定はランダムアクセス中において、前記第１装置および前記装置により決定された設定であることを特徴とする請求項１１〜１３のいずれか１項に記載の通信パラメータ調整装置。
【請求項１５】
前記送受信モジュールは、
具体的に、前記第１装置により送信されたランダムアクセス応答メッセージを受信するように構成され、
前記ランダムアクセス応答メッセージは、前記ＣＰの長さの初期設定を搬送することを特徴とする、請求項１１〜１４のいずれか１項に記載の通信パラメータ調整装置。
【請求項１６】
通信パラメータ調整装置であって、
サイクリックプリフィクス（ＣＰ）の長さの初期設定に基づいて、第２装置と通信を確立するように構成される処理モジュールと、
前記第２装置にＣＰの長さの調整指示情報を送信するように構成される送受信モジュールと、を含み、
前記ＣＰの長さの調整指示情報は、前記装置がＣＰの長さの設定を調整した調整結果を指示するように用いられ、
前記処理モジュールは、さらに、通信におけるネットワーク状態及び／又はサービス状態に基づいて、前記ＣＰの長さの設定を調整するように構成され、
前記装置はネットワーク装置であり、前記第２装置は端末装置であることを特徴とする、前記通信パラメータ調整装置。
【請求項１７】
前記送受信モジュールは、
具体的に、物理層制御チャネルを介して前記第２装置に前記ＣＰの長さの調整指示情報を送信するように構成されることを特徴とする請求項１６に記載の通信パラメータ調整装置。
【請求項１８】
前記ネットワーク状態は、
前記装置と前記第２装置との間のチャネル環境を含むことを特徴とする請求項１６または１７に記載の通信パラメータ調整装置。
【請求項１９】
前記ＣＰの長さの初期設定はランダムアクセス中において、前記装置および前記第２装置により決定された設定であることを特徴とする請求項１６〜１８のいずれか１項に記載の通信パラメータ調整装置。
【請求項２０】
前記送受信モジュールは、
具体的に、前記第２装置にランダムアクセス応答メッセージを送信するように構成され、
前記ランダムアクセス応答メッセージは、前記ＣＰの長さの初期設定を搬送することを特徴とする、請求項１６〜１９のいずれか１項に記載の通信パラメータ調整装置。
【発明の詳細な説明】
【技術分野】
【０００１】
本発明は通信分野に関し、特に通信パラメータ調整方法及び装置に関する。
【背景技術】
【０００２】
装置の実現などの原因で、グローバルモバイルシステム（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）、符号分割マルチプルアクセス（ＣＤＭＡ：Ｃｏｄｅ  Ｄｉｖｉｓｉｏｎ  Ｍｕｌｔｉｐｌｅ  Ａｃｃｅｓｓ）２０００システム、広帯域符号分割マルチプルアクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システムとロングタームエボリューション（ＬＴＥ：Ｌｏｎｇ  Ｔｅｒｍ  Ｅｖｏｌｕｔｉｏｎ）などのような既存の無線通信システムにおいては、通常、固定又は非常に限られている数の少ない基本通信パラメータ、例えば、キャリア帯域幅、タイムスロット又はサブフレームの長さ、ＣＤＭＡシステムの拡散因子、ＬＴＥシステムのサブキャリア間隔と物理リソースブロック細分粒度など、を使用している。それに対して次世代無線通信システムがサポートする必要である応用方式が様々であり、帯域幅、遅延、移動性、カバレッジ、通信レート、信頼性、ユーザ数などの指標への大幅の変化を効率よくサポートする必要がある。従来のシステムにおいては、このようなニーズを満たすことは困難である。
【発明の概要】
【０００３】
本発明は、通信パラメータ調整方法と装置を提供し、実際のニーズに応じて、通信パラメータを調整することができ、無線通信システムの性能と適用性を向上させることができる。
【０００４】
第１様態としては、通信パラメータ調整方法を提供し、
第１装置は、通信パラメータの初期設定に基づいて、第２装置と通信を確立することと、
前記第１装置は、通信におけるネットワーク状態及び／又はサービス状態に基づいて、前記通信パラメータ内の一つ又は複数の通信パラメータの設定を調整することと、
前記第１装置は、前記第２装置に通信パラメータ調整指示情報を送信することと、
を含み、前記通信パラメータ調整指示情報は、前記第１装置が前記通信パラメータ内の一つ又は複数の通信パラメータの設定を調整した調整結果を指示するように用いられる。
【０００５】
第２様態としては、通信パラメータ調整方法を提供し、
第２装置は、通信パラメータの初期設定に基づいて、第１装置と通信を確立することと、
前記第２装置は、前記第１装置より送信された通信パラメータ調整指示情報を受信することと、
を含み、前記通信パラメータ調整指示情報は、前記第１装置が通信におけるネットワーク状態及び／又はサービス状態に基づいて、前記通信パラメータ内の一つ又は複数の通信パラメータの設定を調整した調整結果を指示するように用いられる。
【０００６】
第３様態としては、通信パラメータ調整装置を提供し、
通信パラメータの初期設定に基づいて、第２装置と通信を確立するように用いられる処理モジュールと、
前記第２装置に通信パラメータ調整指示情報を送信するように用いられる送受信モジュールと、
を含み、前記通信パラメータ調整指示情報は、前記装置が前記通信パラメータ内の一つ又は複数の通信パラメータの設定を調整した調整結果を指示するように用いられ、前記処理モジュールさらに、通信におけるネットワーク状態及び／又はサービス状態に基づいて、前記通信パラメータ内の一つ又は複数の通信パラメータの設定を調整するように用いられる。
【０００７】
第４様態としては、通信パラメータ調整装置を提供し、
通信パラメータの初期設定に基づいて、第１装置と通信を確立するように用いられる処理モジュールと、
前記第１装置より送信された通信パラメータ調整指示情報を受信するように用いられる送受信モジュールと、
を含み、前記通信パラメータ調整指示情報は、前記第１装置が通信におけるネットワーク状態及び／又はサービス状態に基づいて、前記通信パラメータ内の一つ又は複数の通信パラメータの設定を調整した調整結果を指示するように用いられる。
【０００８】
上記の技術的な特徴に基づいて、本発明の実施例に提供されている通信パラメータ調整方法と装置によって、ネットワーク装置又は、通信双方としての端末装置は、通信におけるネットワーク状態及び／又はサービス状態に基づいて、通信パラメータを動的に調整することができ、無線通信システムの性能と適用性を向上させることができる。
【図面の簡単な説明】
【０００９】
【図１】本発明の実施例に係る通信パラメータ調整方法の例示的なフローチャートである。
【図２】本発明の実施例に係る通信パラメータ調整方法の他の例示的フローチャートである。
【図３】本発明の他の実施例に係る通信パラメータ調整方法の例示的フローチャートである。
【図４】本発明の他の実施例に係る通信パラメータ調整方法の他の例示的フローチャートである。
【図５】本発明の実施例に係る通信パラメータ調整装置の例示的ブロック図である。
【図６】本発明の他の実施例に係る通信パラメータ調整装置の例示的ブロック図である。
【図７】本発明の他の実施例に係る通信パラメータ調整装置の例示的ブロック図である。
【図８】本発明の他の実施例に係る通信パラメータ調整装置の例示的ブロック図である。
【発明を実施するための形態】
【００１０】
より明確に本発明の実施例を説明するために、上記において、実施例または先行技術の説明で必要とする図面を簡単に説明し、明らかに、上記に記述されている図面は、単なる本発明の幾つかの実施例に過ぎず、当業者にとって、創造的な労力を払わない前提で、これらの図面に基づいてその他の図面が得ることができる。
【００１１】
下記において、本発明の実施例の図面を結合し、本発明の実施例の技術案を明確的、欠けずに説明し、当然、説明されている実施例は、本発明の一部の実施例に過ぎず、全ての実施例ではない。本発明の実施例に基づいて、当業者は、創造的な労力を払わない前提で得られた全てのその他の実施例は、本発明の範囲内である。
【００１２】
なお、本発明の実施例の技術案は、各種の通信システム、例えば、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ミックス複信モードを用いるシステム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、及び将来の５Ｇ通信システムなどに適用することができる。
【００１３】
なお、本発明の実施例において、端末装置（Ｔｅｒｍｉｎａｌ  Ｅｑｕｉｐｍｅｎｔ）はユーザ装置、モバイルステーション（ＭＳ：Ｍｏｂｉｌｅ  Ｓｔａｔｉｏｎ）、移動端末（Ｍｏｂｉｌｅ  Ｔｅｒｍｉｎａｌ）等とも称し、前記ユーザ装置は、無線アクセスネットワーク（ＲＡＮ：Ｒａｄｉｏ  Ａｃｃｅｓｓ  Ｎｅｔｗｏｒｋ）を介して一つ又は複数のコアネットワークと通信することができ、例えば、ユーザ装置は携帯電話（セルラー電話とも称し）、移動端末を備えるコンピュータ等であっても良く、例えば、ポータブル、コンパクト式、ハンドヘルド、コンピュータ内蔵式または車載の移動装置、及び将来の５Ｇネットワークにおける端末装置又は将来のエボリューション的なＰＬＭＮネットワークにおける端末装置等であっても良い。
【００１４】
さらに、本発明の実施例において、ネットワーク装置は、ユーザ装置と通信するための装置であっても良く、前記ネットワーク装置は、ＧＳＭシステム又はＣＤＭＡにおける基地局（ＢＴＳ：Ｂａｓｅ  Ｔｒａｎｓｃｅｉｖｅｒ  Ｓｔａｔｉｏｎ）であっても良く、ＷＣＤＭＡシステムにおける基地局（ＮＢ：ＮｏｄｅＢ）であっても良く、さらにＬＴＥシステムにおけるエボリューション的な基地局（Ｅｖｏｌｕｔｉｏｎａｌ  Ｎｏｄｅ  Ｂ、ｅＮＢ又はｅＮｏｄｅＢと略称する）であっても良く、又は前記ネットワーク装置は、中継局、アクセスポイント、車載装置、ウェアラブル装置、及び将来の５Ｇネットワークにおけるネットワーク側の装置、又は将来のエボリューション的なＰＬＭＮネットワークにおけるネットワーク装置等であっても良い。
【００１５】
図１は、本発明の実施例に係る通信パラメータ調整方法の例示的なフローチャートであり、該方法は、ネットワーク装置又は端末装置によって実行されることができ、図１に示すように、該方法１００は、Ｓ１１０〜Ｓ１３０を含む。
【００１６】
Ｓ１１０において、第１装置は、通信パラメータの初期設定に基づいて、第２装置と通信を確立する。
【００１７】
Ｓ１２０において、前記第１装置は、通信におけるネットワーク状態及び／又はサービス状態に基づいて、前記通信パラメータ内の一つ又は複数の通信パラメータの設定を調整する。
【００１８】
Ｓ１３０において、前記第１装置は、前記第２装置に通信パラメータ調整指示情報を送信し、前記通信パラメータ調整指示情報は、前記第１装置が前記通信パラメータ内の一つ又は複数の通信パラメータの設定を調整した調整結果を指示するように用いられる。
【００１９】
そのため、本発明の実施例における通信パラメータ調整方法、ネットワーク装置又は通信双方としての端末装置は、ネットワーク状態及び／又はサービス状態に基づいて、通信パラメータの設定を動的に調整することができ、それによって、無線通信システムの性能と適用性を向上させることができる。
【００２０】
なお、本発明の実施例において、第１装置はネットワーク装置であっても良く、この場合、第２装置は端末装置であり、又は、第１装置は端末装置であり、この場合、第２装置は他の端末装置である。
【００２１】
選択肢として、図２に示すように、該方法はＳ１４０をさらに含む。
【００２２】
Ｓ１４０において、前記第１装置は、前記第２装置より送信された処理能力指示情報を受信し、前記処理能力指示情報は、前記第２装置が異なる設定を有する同じ種類のパラメータを用いて、前記第１装置と通信することができることを指示するように用いられる。
【００２３】
言い換えれば、第１装置は、第２装置が異なる設定を有する同じ種類のパラメータを用いてそれと通信できることを確定した場合のみ、通信におけるネットワーク状態及び／又はサービス状態に基づいて、通信パラメータを調整する。即ち、本発明の実施例において、同一サブキャリア／セルにおいて、異なるユーザに割り当てられた時間周波数リソースブロック内部において、異なる通信パラメータを使用することができ、そのため、第１装置と前記第２装置との送信機と受信機は、同時に複数種類の通信パラメータを処理する能力を備える必要があり、装置の異なるパラメータを同時に処理する能力に基づいて、装置のタイプを分けることができる。
【００２４】
さらに、第２装置は、ランダムアクセス後のアタッチ（Ａｔｔａｃｈ）過程において、異なる設定を有する同じ種類のパラメータを用いて前記第１装置と通信できる能力を報告することができ、例えば前記第１装置にアタッチリクエストメッセージを送信することができ、前記アタッチリクエストメッセージは前記処理能力指示情報を含む。第２装置は、ランダム結果過程においてこの能力を報告することができ、例えば、ランダムアクセスメッセージに能力データを含ませることができる。第２装置はさらに、第１装置が装置能力の問い合わせ情報を送信した後に、第１装置より送信された装置能力の問い合わせ情報に基づいて、第１装置にこの能力を報告することができる。但し、本発明は、それを限定しない。
【００２５】
選択肢として、Ｓ１１０において、通信パラメータは、通信ためのマルチプルアクセス方式及び／又は前記マルチプルアクセス方式に対応する基本物理層パラメータである。例を挙げて説明すると、前記通信ためのマルチプルアクセス方式は、直交周波数分割マルチプルアクセス
（ＯＦＤＭＡ：Ｏｒｔｈｏｇｏｎａｌ  Ｆｒｅｑｕｅｎｃｙ−ｄｉｖｉｓｉｏｎ  Ｍｕｌｔｉｐｌｅｘｉｎｇ  Ａｃｃｅｓｓ）／単一キャリア周波数分割マルチプルアクセス（ＳＣ−ＦＤＭＡ：Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）、及びそれの派生したマルチプルアクセス方式又は将来の通信システムにおけるその他の使用可能なマルチプルアクセス方式であっても良い。ＯＦＤＭＡ／ＳＣ−ＦＤＭＡ及びそれの派生したマルチプルアクセス方式に対応する基本物理層パラメータは、サブキャリアスペーシング（Ｓｕｂｃａｒｒｉｅｒ  Ｓｐａｃｉｎｇ）、ＯＦＤＭシンボルの長さ、サイクリックプリフィクス（ＣＰ：Ｃｙｃｌｉｃ  Ｐｒｅｆｉｘ）の長さ、サンプリング頻度、チャネル推定と復調等ための基準信号（Ｒｅｆｅｒｅｎｃｅ  Ｓｉｇｎａｌ）の密度とデザイン、基準信号のシーケンス構成とリソースウィンドウ粒度の内の少なくとも一つのパラメータを含むことが可能である。
【００２６】
言い換えれば、ネットワーク装置又は通信双方としての端末装置は、所在している通信ネットワークのネットワーク状態及び／又はサービス状態に基づいて、上記の一つ又は複数のパラメータの定義を調整することができる。例えば、実際のニーズに応じで、サブキャリアスペーシング、ＯＦＤＭシンボルの長さ、ＣＰの長さ、サンプリング頻度、チャネル推定と復調等ための基準信号の密度とデザイン等を増大または減少することができる。例を挙げて説明すると、通信中の双方の間では、相対的な移動をしている場合、ドップラー（Ｄｏｐｐｌｅｒ）周波数偏移が発生し得る。相対移動のスピードが速いほど、Ｄｏｐｐｌｅｒ周波数偏移が大きくなり、正しく復調するため、サブキャリアスペーシングを大きくにし、基準信号の密度を大きく調整する必要がある。チャネル環境が変化した場合、遅延の広がり（Ｄｅｌａｙ  Ｓｐｒｅａｄ）、角度発散（Ａｎｇｕｌａｒ  Ｓｐｒｅａｄ）、伝送損失（Ｐｒｏｐａｇａｔｉｏｎ  Ｌｏｓｓ）、透過損失（Ｐｅｎｅｔｒａｔｉｏｎ  Ｌｏｓｓ）等の現象が引き起こされ、伝送環境が複雑ほど、障害物が多いほど、障害物のサイズが大きいほど、伝送の遅延の広がりが大きくなり、このような場合、ＣＰの長さを大きく調整する必要がある。ネットワーク装置又は通信双方としての端末装置は、実際のニーズに応じて、基準信号のシーケンス構成を調整することができ、例えば、基準信号を生成するシーケンス関数を準直交シーケンスから疑似ランダムコードまたはＺａｄｏｆｆ−Ｃｈｕシーケンス等に調整することができ、また実際のニーズに応じでリソースウィンドウ粒度（即ち、リソースウィンドウの周波数ドメインと時間ドメインにおける最小サイズ）を調整することもできる。
【００２７】
選択肢として、Ｓ１１０において、通信パラメータの初期設定は、デフォルト設定であっても良く、言い換えれば、通信パラメータはデフォルトパラメータであり、装置対装置（Ｄ２Ｄ：Ｄｅｖｉｃｅ−ｔｏ−Ｄｅｖｉｃｅ）通信においては、端末装置は、ディスカバリーチャネル（Ｄｉｓｃｏｖｅｒｙ  Ｃｈａｎｎｅｌ）によって該デフォルトパラメータをブロードキャストし、異なる周波数帯域、異なる地域は、異なるデフォルトパラメータを備えることができる。
【００２８】
また、選択肢として、Ｓ１１０において、通信パラメータの初期設定は、ランダムアクセス中において、通信双方の決定された設定であっても良く、具体的に、ネットワーク装置又は通信双方としての端末装置は、前記第１装置と前記第２装置との間の無線チャネル伝送条件、前記第１装置と前記第２装置の通信能力、及び前記第２装置のランダムアクセスを開始する時のサービスタイプの内の少なくとも一つのパラメータに基づいて、前記通信パラメータの初期設定を確定することができる。前記第１装置は、前記通信パラメータの初期設定を確定してから、前記第２装置に前記通信パラメータの初期設定を送信する。
【００２９】
選択肢として、第１装置は、第２装置と通信を確立する前に、第２装置以外のその他の装置からのランダムアクセス情報から、第１装置と第２装置との間の無線チャネル伝送条件を取得することができ、又は、第１装置はさらに、既に第１装置と通信している装置より送信されたデータ、シグナリング又はフィードバックされたチャネル状態指示（Ｃｈａｎｎｅｌ  Ｓｔａｔｅ  Ｉｎｄｉｃａｔｏｒ）情報によって、第１装置と第２装置との間の無線チャネル伝送条件を取得することができる。第１装置と第２装置の通信能力は、送信と受信アンテナ数、送信パワー、受信パワー、通信に使用される帯域幅を含むが、それらに限らない。
【００３０】
具体的に、ネットワーク装置又は通信双方としての端末装置は、ランダムアクセスシーケンスによって推定されたチャネル条件、確定された通信双方の距離、及び端末装置がどのようなタイプのサービスのためにランダムアクセスを開始しているか等のような情報に基づいて、端末装置の初回目の通信ネットワークへのアクセス時の通信パラメータの設定を確定することができる。例えば、ランダムアクセスにおいて、ネットワーク装置は、サービスニーズ又はその他の情報に基づいて、ある端末装置に使用させるために割り当てる周波数帯域を決定することができ、また、該周波数帯域は、端末装置のランダムアクセスを開始する周波数帯域であっても良く、端末装置のランダムアクセスを開始する周波数帯域でなくても良い。
【００３１】
選択肢として、前記第１装置は、ランダムアクセス応答メッセージに前記通信パラメータの初期設定を含ませる方式によって、前記第２装置に前記通信パラメータの初期設定を送信することができる。前記第１装置はさらに、前記第２装置に前記通信パラメータの初期設定を含むその他のメッセージを送信する方式によって、前記第２装置に前記通信パラメータの初期設定を送信することができる。
【００３２】
選択肢として、Ｓ１２０において、前記ネットワーク状態は、前記第１装置と前記第２装置との間のチャネル環境、前記第１装置と前記第２装置との所在の通信ネットワークの負荷及び干渉、アプリケーションのデータレートに対する要求及びアプリケーションのエネルギー消費に対する要求の内の少なくとも一つを含む。
【００３３】
具体的に、通信中において、ネットワーク状態が変わった場合、ネットワーク装置又は通信双方としての端末装置は、リアルタイムに通信パラメータの設定を調整することが可能である。ネットワーク状態の変化は、端末装置とネットワーク装置（例えばサービス中の基地局と隣接の基地局）、又は通信双方としての端末装置の間のチャネル環境が変わったことに起因している可能性があり、例えば、通信中において使用されている周波数帯域、アンテナ及び移動性によるチャネル変化、又は通信双方の端末装置の移動性によるチャネル環境変化があり得る。ネットワーク状態の変化は、ネットワーク負荷及び干渉が変化したことに起因している可能性があり、ネットワーク状態の変化は、ネットワークにおけるアプリケーションのデータレートに対する要求及び／又はエネルギー消費に対する要求が変化したことに起因している可能性があり、本発明はこれらに限らない。
【００３４】
本発明の実施例において、選択肢として、ネットワーク装置又は通信双方としての端末装置は、自らの測量によって、ネットワーク状態及び／又はサービス状態を取得することができ、ネットワーク装置又は通信双方としての端末装置はさらに、端末装置又は通信双方としての片方の端末装置の報告された状態情報を受信することができ、前記状態情報によってネットワーク状態及び／又はサービス状態を取得することができる。
【００３５】
選択肢として、Ｓ１２０において、具体的に、前記通信パラメータ内の一つ又は複数の通信パラメータの設定を調整するように要求するための前記第２装置より送信されたパラメータ調整要求情報を受信し、前記パラメータ調整要求情報に基づいて、前記通信パラメータ内の一つ又は複数の通信パラメータを調整する。
【００３６】
言い換えれば、第２装置は、サービスを開始する、又はサービスが変化された、又は無線信号環境が変化した場合、第１装置にパラメータの調整を要求することができる。選択肢として、第２装置は、通信パラメータの調整を要求するための要求情報を第１装置に送信し、第１装置は、前記要求情報を受信してから、自らでネットワーク状態を測定し、例えば、受信された第２装置より送信されたデータの品質によってネットワーク状態が変化した否かを判断することができ、通信ネットワーク内の前記第２装置と同様なタイプの端末装置より送信されたネットワーク状態及び／又はサービス状態を指示するための状態レポートを受信することによって、ネットワーク状態及び／又はサービス状態が変化したか否かを判断することができ、具体的にどれの通信パラメータを調整するかを確定し、調整完了後に、調整した結果を第２装置に通知する。
【００３７】
さらに、ハンドシェイキングメカニズムを用いてパラメータを調整することができ、即ち、第１装置が第２装置より送信されたパラメータ調整要求情報を受信してから、前記パラメータ調整要求情報を成功に受信したことを確認するための確認情報（例えば、一つの確認用のＡＣＫフレームが応答できる）を第２装置に送信する必要がある。第２装置が予定の時間内で第１装置の前記パラメータ調整要求情報に対する応答を受信されていない場合、第２装置は、第１装置に再度パラメータ調整要求情報を送信することができ、又はパラメータの調整を要求する前の通信パラメータの設定を用いて、第１装置と通信し、第１装置は、調整前と調整後のパラメータを用いて、情報の受信と送信を行うことができるはずである。
【００３８】
選択肢として、Ｓ１２０において、具体的に、ネットワーク状態及び／又はサービス状態を指示するための前記第２装置より送信された状態情報を受信し、前記状態情報に基づいて、前記通信パラメータ内の一つ又は複数の通信パラメータの設定を調整する。
【００３９】
具体的に、第２装置は、第１装置にネットワーク状態及び／又はサービス状態、例えば、サービス変化、環境変化によるチャネル品質変化（上記のドップラー周波数偏移、伝送損失、遅延の広がり等の測量結果又は測量結果によって量化したチャネル品質指示）等を報告することができる。第１装置が、第２装置より報告されたネットワーク状態及び／又はサービス状態を受信した後に、通信パラメータの調整を能動的に行い、調整後の結果を第２装置に通知する。第２装置は、周期的又は非周期的に第１装置にネットワーク状態及び／又はサービス状態を報告することができ、本発明は、これに限定しない。
【００４０】
さらに、第２装置は、通信パラメータの調整を要求するためのパラメータ調整要求情報を第１装置に送信すると同時に、自らの測定したネットワーク状態及び／又はサービス状態を第１装置に報告することができ、第１装置は、前記パラメータ調整要求情報を受信した後に、第２装置よりリ報告されたネットワーク状態及び／又はサービス状態に基づいて通信パラメータの調整を行い、調整後の結果を第２装置に通知する。
【００４１】
選択肢として、第１装置は、物理層制御チャネルを介して、前記第２装置に前記パラメータ調整指示情報を送信することができ、例えば、通信双方の間には、複数の無線リソースコントロール（ＲＲＣ：Ｒａｄｉｏ  Ｒｅｓｏｕｒｃｅ  Ｃｏｎｔｒｏｌ）接続があることが可能であり、異なるＲＲＣ接続には、異なる通信パラメータがあることが可能であり、各接続（キャリア又は基地局）については、通信パラメータの調整は、統一されている（即ち、複数の接続の共有されている）又は該接続の独立している物理層制御チャネルを介して、第２装置に知らせ、該物理層制御チャネルは、新しい物理下り制御チャネルであっても良い。
【００４２】
それ以外、第１装置はさらに、ページング（Ｐａｇｉｎｇ）チャネル又はブロードキャストチャネル等のチャネルを介して、パラメータ調整結果を第２装置に知らせることができる。本発明は、それに限らない。
【００４３】
また、第１装置は、調整を行った通信パラメータだけの調整結果を第２装置に送信するように選択することができ、第１装置はさらに、調整を行った通信パラメータと、調整を行っていない通信パラメータを全て第２装置に送信するように選択することができる。さらに、第１装置より送信された調整結果は、絶対値の形式で表現しても良く、相対値の形式で表現しても良い。例を挙げて説明すると、仮に調整前のサブキャリア間隔が１５ｋＨｚである場合、Ｄｏｐｐｌｅｒ周波数偏移の信号の正確な復調のへ影響を減少するため、サブキャリア間隔を大きくする必要がある。この時に、第１装置は、第２装置に調整後のサブキャリアの間隔が２０ｋＨｚであることを直接に通知してもよいし、第２装置に調整後のサブキャリアの間隔が調整前のサブキャリアの間隔より５ｋＨｚ大きいことを通知してもよい。本発明は、それに限定しない。
【００４４】
そのため、本発明の実施例における通信パラメータ調整方法としては、ネットワーク装置又は通信双方としての端末装置は、ネットワーク状態及び／又はサービス状態に基づいて、通信パラメータの設定を動的に調整することができ、それによって、無線通信システムの性能と適用性を向上させることができる。
【００４５】
上記において、図１と図２を結合し、第１装置側より本発明の実施例に基づく通信パラメータ調整方法を詳しく説明しており、下記において、図３と図４を結合して、第２装置側より本発明の他の実施例に基づく通信パラメータ調整方法を詳しく説明する。なお、第１装置側で説明されている第２装置と第１装置とのインタラクション及び相関特性、機能などは、第２装置側での説明と対応しており、簡潔のため、適切に重複の説明を省略する。
【００４６】
図３は、本発明の他の実施例に係る通信パラメータ調整方法であり、該方法は、端末装置によって実施することができ、図３に示すように、該方法２００は、Ｓ２１０〜Ｓ２２０を含む。
【００４７】
Ｓ２１０において、第２装置が通信パラメータの初期設定に基づいて、第１装置と通信を確立する。
【００４８】
Ｓ２２０において、前記第２装置は、前記第１装置より送信された通信パラメータ調整指示情報を受信し、前記通信パラメータ調整指示情報は、前記第１装置が通信におけるネットワーク状態及び／又はサービス状態に基づいて、前記通信パラメータ内の一つ又は複数の通信パラメータの設定を調整した調整結果を指示するように用いられる。
【００４９】
そのため、本発明の実施例における通信パラメータ調整方法としては、ネットワーク装置又は通信双方としての端末装置は、ネットワーク状態及び／又はサービス状態に基づいて、通信パラメータの設定を動的に調整することができ、それによって無線通信システムの性能と適用性を向上させることができる。
【００５０】
選択肢として、図４に示すように、該方法はさらにＳ２３０を含む。
【００５１】
Ｓ２３０において、前記第２装置は、前記第１装置に処理能力指示情報を送信し、前記処理能力指示情報は、前記第２装置が異なる設定を有する同じ種類のパラメータを用いて、前記第１装置と通信することができることを指示するように用いられる。
【００５２】
選択肢として、Ｓ２３０において、具体的に、前記第１装置にアタッチリクエストメッセージを送信し、前記アタッチリクエストメッセージは、前記処理能力指示情報を含む。
【００５３】
本発明の実施例において、選択肢として、前記第２装置は、前記第１装置より送信された前記通信パラメータの初期設定を受信する。ここで、前記通信パラメータの初期設定は、前記第１装置が、前記第１装置と前記第２装置との間の無線チャネル伝送条件、前記第１装置と前記第２装置の通信能力、及び前記第２装置のランダムアクセスを開始する時のサービスタイプの内の少なくとも一つのパラメータに基づいて確定されるものである。
【００５４】
本発明の実施例において、選択肢として、前記第１装置が、前記パラメータ調整要求情報に基づいて、前記通信パラメータ内の一つ又は複数の通信パラメータを調整するために、第２装置は、前記通信パラメータ内の一つ又は複数の通信パラメータの設定を調整するように要求するためのパラメータ調整要求情報を前記第１装置に送信する。
【００５５】
本発明の実施例において、選択肢として、前記第２装置が前記第１装置に前記パラメータ調整要求情報を送信した後に、前記パラメータ調整要求情報を成功に受信することを確認するための前記第１装置より送信された確認情報を受信することができる。
【００５６】
本発明の実施例において、選択肢として、前記第１装置が前記状態情報に基づいて前記通信パラメータ内の一つ又は複数の通信パラメータの設定を調整するために、第２装置は、前記第１装置にネットワーク状態及び／又はサービス状態を指示するための状態情報を送信することができる。
【００５７】
選択肢として、Ｓ２２０は、具体的に、前記第１装置が物理層制御チャネルを介して送信された前記パラメータ調整指示情報を受信する。
【００５８】
本発明の実施例において、選択肢として、前記通信パラメータは、通信のためのマルチプルアクセス方式及び／又は前記マルチプルアクセス方式に対応する基本物理層パラメータである。
【００５９】
本発明の実施例において、選択肢として、前記ネットワーク状態は、前記第１装置と前記第２装置との間のチャネル環境、前記第１装置と前記第２装置との所在している通信ネットワークの負荷と干渉、アプリケーションのデータレートに対する要求及びアプリケーションのエネルギー消費に対する要求の内の少なくとも一つを含む。
【００６０】
本発明の実施例において、選択肢として、前記第１装置はネットワーク装置で、前記第２装置は端末装置であり、又は、前記第１装置は端末装置で、前記第２装置は他の端末装置である。
【００６１】
そのため、本発明の実施例における通信パラメータ調整方法としては、ネットワーク装置又は通信双方としての端末装置は、ネットワーク状態及び／又はサービス状態に基づいて、通信パラメータの設定を動的に調整することができ、それによって、無線通信システムの性能と適用性を向上させることができる。
【００６２】
図５は、本発明の実施例に係る通信パラメータ調整装置の例示的ブロック図であり、図５に示すように、前記装置１０は、
通信パラメータの初期設定に基づいて、第２装置と通信を確立するように用いられる処理モジュール１１と、
前記第２装置に通信パラメータ調整指示情報を送信するように用いられる送受信モジュール１２と、
を含み、前記通信パラメータ調整指示情報は、前記処理モジュールが前記通信パラメータ内の一つ又は複数の通信パラメータの設定を調整した調整結果を指示するように用いられる。前記処理モジュール１１はさらに、通信におけるネットワーク状態及び／又はサービス状態に基づいて、前記通信パラメータ内の一つ又は複数の通信パラメータの設定を調整するように用いられる。
【００６３】
そのため、本発明の実施例における通信パラメータ調整装置は、ネットワーク状態及び／又はサービス状態に基づいて、通信パラメータの設定を動的に調整することができ、それによって、無線通信システムの性能と適用性を向上させることができる。
【００６４】
本発明の実施例において、選択肢として、前記送受信モジュール１２はさらに、前記第２装置より送信された処理能力指示情報を受信するように用いられ、前記処理能力指示情報は、前記第２装置が異なる設定を有する同じ種類のパラメータを用いて、前記第１装置と通信することができることを指示するように用いられる。
【００６５】
在本発明の実施例において、選択肢として、前記送受信モジュール１２は、具体的に、前記第２装置より送信されたアタッチリクエストメッセージを受信するように用いられ、前記アタッチリクエストメッセージは、前記処理能力指示情報を含む。
【００６６】
本発明の実施例において、選択肢として、前記処理モジュール１１はさらに、前記装置と前記第２装置との間の無線チャネル伝送条件、前記装置と前記第２装置の通信能力、及び前記第２装置のランダムアクセスを開始する時のサービスタイプの内の少なくとも一つのパラメータに基づいて、前記通信パラメータの初期設定を確定するように用いられる。
【００６７】
ここで、前記送受信モジュール１２はさらに、前記第２装置に、前記処理モジュール１１によって確定された前記通信パラメータの初期設定を送信するように用いられる。
【００６８】
本発明の実施例においおて、選択肢として、前記送受信モジュール１２はさらに、前記通信パラメータ内の一つ又は複数の通信パラメータの設定を調整するように要求するための前記第２装置より送信されたパラメータ調整要求情報を受信するように用いられる。
【００６９】
ここで、前記処理モジュール１１はさらに、前記送受信モジュール１２によって受信された前記パラメータ調整要求情報に基づいて、前記通信パラメータ内の一つ又は複数の通信パラメータを調整するように用いられる。
【００７０】
本発明の実施例において、選択肢として、前記送受信モジュール１２はさらに、前記パラメータ調整要求情報を成功に受信したことを確認するための確認情報を前記第２装置に送信するように用いられる。
【００７１】
本発明の実施例において、選択肢として、前記送受信モジュール１２はさらに、ネットワーク状態及び／又はサービス状態を指示するための前記第２装置より送信された状態情報を受信するように用いられる。
【００７２】
ここで、前記処理モジュール１１さらに、前記送受信モジュール１２より受信された前記状態情報に基づいて、前記通信パラメータ内の一つ又は複数の通信パラメータの設定を調整するように用いられる。
【００７３】
本発明の実施例において、選択肢として、前記送受信モジュール１２は、具体的に、物理層制御チャネルを介して前記第２装置に前記パラメータ調整指示情報を送信するように用いられる。
【００７４】
本発明の実施例において、選択肢として、前記通信パラメータは、通信ためのマルチプルアクセス方式及び／又は前記マルチプルアクセス方式に対応する基本物理層パラメータである。
【００７５】
本発明の実施例において、選択肢として、前記ネットワーク状態は、前記装置と前記第２装置との間のチャネル環境、前記装置と前記第２装置との所在している通信ネットワークの負荷と干渉、アプリケーションのデータレートに対する要求及びアプリケーションのエネルギー消費に対する要求の内の少なくとも一つを含む。
【００７６】
本発明の実施例において、選択肢として、前記装置はネットワーク装置で、前記第２装置は端末装置であり、又は、前記装置は端末装置で、前記第２装置は他の端末装置である。
【００７７】
そのため、本発明の実施例における通信パラメータ調整装置は、ネットワーク状態及び／又はサービス状態に基づいて、通信パラメータの設定を動的に調整し、それによって、無線通信システムの性能と適用性を向上させることができる。
【００７８】
なお、本発明の実施例に基づく装置１０は、本発明の実施例における通信パラメータ調整方法１００を対応することができ、装置１０内の各モジュールの上記、又はその他の操作及び／又は機能のそれぞれは、図１と図２内の各方法に対応するフローを実現するためのものであり、簡潔のため、ここでそれ上述べない。
【００７９】
なお、本発明の実施例において、処理モジュール１１は、プロセッサによって実現されても良く、送受信モジュール１２は、受信機と送信機によって実現されても良い。図６に示すように、装置１００は、プロセッサ１０１、受信機１０２、送信機１０３と記憶装置１０４を含むことが可能である。ここで、記憶装置１０４は、プロセッサ１０１に実行されるコード等を記憶するように用いられることが可能である。
【００８０】
装置１００内の各コンポーネントはバスシステム１０５によってカップリンブされており、ここでバスシステム１０５は、データバス以外に、電源バス、制御バス及び状態信号バスを含む。
【００８１】
なお、本発明の実施例に基づく装置１００は、本発明の実施例における装置１０に対応することができ、本発明の実施例に基づく方法を実施する相応な主体に対応することができ、装置１００内の各モジュールの上記又はその他の操作及び／又は機能のそれぞれは、図１と図２内の各方法に対応するフローを実現するためのものであり、簡潔のため、ここでそれ上述べない。
【００８２】
図７は、本発明の他の実施例に係る通信パラメータ調整装置の例示的ブロック図であり、図７に示すように、前記装置２０は、
通信パラメータの初期設定に基づいて、第１装置と通信を確立するように用いられる処理モジュール２１と、
前記第１装置より送信された通信パラメータ調整指示情報を受信するように用いられる送受信モジュール２２と、
を含み、前記通信パラメータ調整指示情報は、前記処理モジュールが通信におけるネットワーク状態及び／又はサービス状態に基づいて前記通信パラメータ内の一つ又は複数の通信パラメータの設定を調整した調整結果を指示するように用いられる。
【００８３】
そのため、本発明の実施例における通信パラメータ調整装置は、前記装置と通信するネットワーク装置及び／又は端末装置が、ネットワーク状態及び／又はサービス状態に基づいて、動的に調整した通信パラメータの設定を受信することができ、それによって、無線通信システムの性能と適用性を向上させることができる。
【００８４】
本発明の実施例において、選択肢として、前記送受信モジュール２２はさらに、前記第１装置に処理能力指示情報を送信するように用いられ、前記処理能力指示情報は、前記装置が異なる設定を有する同じ種類のパラメータを用いて、前記第１装置と通信することできることを指示するように用いられる。
【００８５】
本発明の実施例において、選択肢として、前記送受信モジュール２２は、具体的に、前記第１装置にアタッチリクエストメッセージを送信するように用いられ、前記アタッチリクエストメッセージは、前記処理能力指示情報を含む。
【００８６】
本発明の実施例において、選択肢として、前記送受信モジュール２２はさらに、前記第１装置より送信された前記通信パラメータの初期設定を受信するように用いられ、ここで、前記通信パラメータの初期設定は、前記第１装置が、前記第１装置と前記装置との間の無線チャネル伝送条件、前記第１装置と前記装置の通信能力、及び前記装置のランダムアクセスを開始する時のサービスタイプの内の少なくとも一つのパラメータに基づいて確定されるものである。
【００８７】
本発明の実施例において、選択肢として、前記送受信モジュール２２はさらに、前記第１装置が、前記パラメータ調整要求情報に基づいて、前記通信パラメータ内の一つ又は複数の通信パラメータを調整するために、前記通信パラメータ内の一つ又は複数の通信パラメータの設定を調整するように要求するためのパラメータ調整要求情報を前記第１装置に送信するように用いられる。
【００８８】
本発明の実施例において、選択肢として、前記送受信モジュール２２はさらに、前記パラメータ調整要求情報を成功に受信したことを確認するための前記第１装置より送信された確認情報を受信するように用いられる。
【００８９】
本発明の実施例において、選択肢として、前記送受信モジュール２２はさらに、前記第１装置が前記状態情報に基づいて前記通信パラメータ内の一つ又は複数の通信パラメータの設定を調整するために、前記第１装置にネットワーク状態及び／又はサービス状態を指示するための状態情報を送信するように用いられる。
【００９０】
本発明の実施例において、選択肢として、前記送受信モジュール２２は、具体的に、前記第１装置が物理層制御チャネルを介して送信された前記パラメータ調整指示情報を受信するように用いられる。
【００９１】
本発明の実施例において、選択肢として、前記通信パラメータは、通信のためのマルチプルアクセス方式及び／又は前記マルチプルアクセス方式に対応する基本物理層パラメータである。
【００９２】
本発明の実施例において、選択肢として、前記ネットワーク状態は、前記第１装置と前記装置との間のチャネル環境、前記第１装置と前記装置との所在の通信ネットワークの負荷及び干渉、アプリケーションのデータレートに対する要求及びアプリケーションのエネルギー消費に対する要求の内の少なくとも一つを含む。
【００９３】
本発明の実施例において、選択肢として、前記第１装置はネットワーク装置で、前記装置は端末装置であり、又は、前記第１装置は端末装置で、前記装置は他の端末装置である。
【００９４】
なお、本発明の実施例に基づく装置２０は、本発明の実施例における通信パラメータ調整方法２００を対応することができ、装置２０内の各モジュールの上記、又はその他の操作及び／又は機能のそれぞれは、図３と図４内の各方法に対応するフローを実現するためのものであり、簡潔のため、ここでそれ上述べない。
【００９５】
なお、本発明の実施例において、処理モジュール２１は、プロセッサによって実現されても良く、送受信モジュール２２は、受信機と送信機によって実現されても良い。図８に示すように、装置２００は、プロセッサ２０１、受信機２０２、送信機２０３と記憶装置２０４を含むことが可能である。ここで、記憶装置２０４は、プロセッサ２０１に実行されるコード等を記憶するように用いられることが可能である。
【００９６】
装置２００内の各コンポーネントはバスシステム２０５によってカップリンブされており、ここでバスシステム２０５は、データバス以外に、電源バス、制御バス及び状態信号バスを含む。
【００９７】
なお、本発明の実施例に基づく装置２００は、本発明の実施例における装置２０に対応することができ、本発明の実施例に基づく方法を実施する相応の主体に対応することができ、装置２００内の各モジュールの上記又はその他の操作及び／又は機能のそれぞれは、図３と図４内の各方法に対応するフローを実現するためのものであり、簡潔のため、ここでそれ上述べない。
【００９８】
本願に開示されている実施例に説明されている各例示的なユニット及びアルゴリズムのステップを結合し、電子ハードウェア、又はコンピュータソフトウェアと電子ハードウェアの結合を用いて実現することができると、当業者は受け取れる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【００９９】
当業者は、説明の便利と簡潔上、上記に記載されているシステム、装置及びユニットの具体的な作業フローについては、上記の方法実施例の対応されているフローを参照することができ、ここでそれ以上述べない。
【０１００】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ結合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１０１】
上記で分離部品として説明したユニットは、物理的に分離されるものであっても良く、そうではないものであっても良い。ユニットとして示される部品は物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１０２】
また、本発明の各実施例における各機能ユニットは、全て一つの処理ユニットに集成しても良く、各ユニットはそれぞれ単独なユニットとしても良く、二つ又は二つ以上のユニットを一つのユニットに集成しても良い。
【０１０３】
前記機能は、ソフトウェア機能ユニットの方式で実現し、しかも独立な製品として販売又は使用する場合、コンピュータ読み取り可能の記憶媒体に記憶しても良い。これによって、本発明の実施例の技術案が事実上、言い換えれば先行技術に貢献した部分としてソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１０４】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020145756.tif 000003
【図２】
2020145756.tif 000004
【図３】
2020145756.tif 000005
【図４】
2020145756.tif 000006
【図５】
2020145756.tif 000007
【図６】
2020145756.tif 000008
【図７】
2020145756.tif 000009
【図８】
2020145756.tif 000010